(57)【要約】      （修正有）【課題】テレビのない場所でも家庭用ゲーム機を利用してゲームを楽しむことができるようにした後付ディスプレイ装置を提供する。【解決手段】略円筒側面状の天面を有し、ディスプレイ用の外部出力端子を背面に備えたゲーム機本体の天面に対して装着される後付ディスプレイ装置１０１において、天面側から観察してゲーム機本体の天面の頂部をまたぐように複数配置されゲーム機本体の一部にひっかけることで自身をゲーム機本体に対して固定するためのフック部１０２ａ、１０２ｂを設けて、後付ディスプレイ装置を構成する。【選択図】図１
0003160082.tif 000002
【実用新案登録請求の範囲】
【請求項１】
略円筒側面状の天面を有し、ディスプレイ用の外部出力端子を背面に備えたゲーム機本体の天面に対して装着される後付ディスプレイ装置であって、
天面側から観察してゲーム機本体の天面の頂部をまたぐように複数配置されゲーム機本体の一部にひっかけることで自身をゲーム機本体に対して固定するためのフック部を有する後付ディスプレイ装置。
【請求項２】
前記フック部の少なくとも一部は、後付ディスプレイ装置から着脱自在である自在フックである請求項１に記載の後付ディスプレイ装置。
【請求項３】
前記フック部は、
ゲーム機本体の背面側の左右各々に配置される背面左フック部、背面右フック部と、
ゲーム機本体の側面側で前記天面の頂部を超えた前方左右それぞれに配置される側面左フック部、側面右フック部と、
からなる請求項１又は２に記載の後付ディスプレイ装置。
【請求項４】
背面左フック部と、背面右フック部とはゲーム機本体背面左右角に生じる三面に接する三叉面を有する請求項３に記載の後付ディスプレイ装置。
【請求項５】
側面左フック部と、側面右フック部とは、後付ディスプレイ装置から着脱自在で一面は後付ディスプレイ装置の上面側に係止され、他の一面はゲーム機本体の底面側に係止され、残りの一面が前記二面を連結するように構成されたコの字状フックである請求項３又は４に記載の後付ディスプレイ装置。
【考案の詳細な説明】
【技術分野】
【０００１】
本考案は、ゲーム機本体に直接取り付ける後付けディスプレイ装置に関する
【背景技術】
【０００２】
従来、携帯用ゲーム機を除く家庭用ゲーム機を利用してゲームを楽しもうとする場合、ユーザの自宅などにあらかじめ備えられているテレビなどの出力機器に家庭用ゲーム機を接続し、ゲームをプレイする必要がある。
【０００３】
したがって、ゲームをプレイする場所は、おのずと自宅のリビングなど、テレビなどの出力機器が備えられた場所に限られている。つまり、ユーザ自身の部屋にテレビが備えられていない場合や、屋外などテレビがない場合では、ゲームをプレイすることが困難であるという課題があった。
【先行技術文献】
【非特許文献】
【０００４】
【非特許文献１】デジタルオンライン、" PS3でも専用7インチLCDモニター出てた"、[online]、2008年4月19日、デジタルマガジン、[平成22年3月30日検索]、インターネット〈URL: http://digimaga.net/2008/04/ps3-7inch-lcd-screen.html〉
【考案の概要】
【考案が解決しようとする課題】
【０００５】
そこで、非特許文献１に記載の技術が提供されている。具体的には、ゲーム機本体の背面に接続し、ゲーム機本体の天面に据置くことが可能な後付ディスプレイ及びスピーカが提供されている。
【０００６】
しかしながら、非特許文献１に記載の技術は、ゲーム機本体の背面に対して装着し、天面に据置くだけの構成であるため、外部からの衝撃に対して不安定であるという課題がある。また、ディスプレイ本体及びスピーカはゲーム機本体の天面に対してほぼ垂直に立設される構成となるため、ディスプレイ本体及びスピーカを装着した状態での収納や、運搬が困難であるという課題もある（つまり、収納・運搬に際して、立設するディスプレイ及びスピーカだけ収納スペースが余分に必要である。また、不安定であるため収納・運搬に際してディスプレイ及びスピーカが外れてしまう可能性がある）。
【課題を解決するための手段】
【０００７】
そこで、本考案は上記課題を鑑み、ゲーム機本体と後付ディスプレイ装置とを固定するためにゲーム機本体の天面頂部をまたぐように複数のフック部を備えることを特徴とする後付ディスプレイを提供する。具体的には、以下のような後付ディスプレイ装置である。
【０００８】
第一発明は、略円筒側面状の天面を有し、ディスプレイ用の外部出力端子を背面に備えたゲーム機本体の天面に対して装着される後付ディスプレイ装置であって、天面側から観察してゲーム機本体の天面の頂部をまたぐように複数配置されゲーム機本体の一部にひっかけることで自身をゲーム機本体に対して固定するためのフック部を有する後付ディスプレイ装置を提供する。
【０００９】
第二発明は、第一発明を基本として前記フック部の少なくとも一部は、後付ディスプレイ装置から着脱自在である自在フックである後付ディスプレイ装置を提供する。
【００１０】
第三発明は、第一発明または第二発明のいずれか一を基本として、前記フック部は、ゲーム機本体の背面側の左右各々に配置される背面左フック部、背面右フック部と、ゲーム機本体の側面側で前記天面の頂部を超えた前方左右それぞれに配置される側面左フック部、側面右フック部と、からなる後付ディスプレイ装置を提供する。
【００１１】
第四発明は、第三発明を基本として背面左フック部と、背面右フック部とはゲーム機本体背面左右角に生じる三面に接する三叉面を有する後付ディスプレイ装置を提供する。
【００１２】
第五発明は、第三発明または第四発明のいずれか一を基本として、側面左フック部と、側面右フック部とは、後付ディスプレイ装置から着脱自在で一面は後付ディスプレイ装置の上面側に係止され、他の一面はゲーム機本体の底面側に係止され、残りの一面が前記二面を連結するように構成されたコの字状フックである後付ディスプレイ装置を提供する。
【考案の効果】
【００１３】
本考案である、後付ディスプレイ装置によってゲーム機本体と後付ディスプレイを安定して固定することが可能になる。また、本実施形態による構成を利用することによってディスプレイを折りたたむことが可能な構成を採ることが可能となる。
【図面の簡単な説明】
【００１４】
【図１】実施形態１の後付ディスプレイ装置の概略図
【図２】実施形態１の後付ディスプレイ装置における装置本体の一例を示した図
【図３Ａ】実施形態１の後付ディスプレイ装置におけるフック部の一例を示した図
【図３Ｂ】実施形態１の後付ディスプレイ装置におけるフック部の一例を示した図
【図４】実施形態１の後付ディスプレイ装置におけるフック部がベルトを備えた場合における一例を示した図
【図５】実施形態１の後付ディスプレイ装置におけるゲーム機本体の天面の頂部を説明するための図
【図６】実施形態１の後付ディスプレイ装置におけるフック部の配置例を示した図
【図７】実施形態２の後付ディスプレイ装置の概略図を示した図
【図８】実施形態２の後付ディスプレイ装置における背面フック部の一例と、装着前の背面フック部の一例を示した図
【図９】実施形態２の後付ディスプレイ装置における背面フック部の一例を示した図
【図１０】実施形態２の後付ディスプレイ装置における側面左右フック部の一例を示した図
【図１１】本考案を利用した実形態を説明するための図（ゲーム機本体の装着されていない場合）
【図１２】本考案を利用した実形態を説明するための図（ゲーム機本体に装着された場合）
【考案を実施するための形態】
【００１５】
以下に、図を用いて本考案の実施の形態を説明する。なお、本考案はこれらの実施の形態に何ら限定されるものではなく、その要旨を逸脱しない範囲において、種々なる態様で実施しうる。
【００１６】
実施形態１は主に請求項１、２について主に説明する。また、実施形態２は、主に請求項３、４、５について説明する。
【００１７】
≪実施形態１≫
【００１８】
<実施形態１  概要>
【００１９】
本実施形態の後付ディスプレイ装置（０１０１）は、図１に示すように、略円筒側面状をしたゲーム機本体の天面に装着し、フック部（０１０２ａ、ｂ）を利用してゲーム機本体に対して固定することを特徴とする後付ディスプレイ装置である。
【００２０】
本実施形態の後付ディスプレイ装置は、図１に示すように略円筒面形状の天面を有するゲーム機本体に装着しフック部をゲーム機本体の一部にひっかけることでゲーム機本体に固定することを特徴としている。
【００２１】
<実施形態１：構成>
【００２２】
≪後付ディスプレイ装置本体（筐体）≫
【００２３】
「筐体」（０１０１）は、本実施形態の後付ディスプレイ装置における本体である。具体的には、外部（ゲーム機）からの入力を受ける接続端子や、入力を受けた映像や音声を出力するための画面やスピーカが配置されている。また、後に詳述するが、筐体にはゲーム機に対して固定するための「フック部」（０１０２ａ、ｂ）がゲーム機本体の天面の頂部をまたぐように複数配置されている。
【００２４】
図２は、実際の後付ディスプレイ装置本体の一例を示したものである。図２（ａ）は、ディスプレイを開いた状態の一例を示している。また、図２（ｂ）は、ディスプレイを折りたたんだ状態の一例を示している。本例の後付ディスプレイ装置本体の底面は、ゲーム機本体の天面に対してぴったりと装着可能とするために略円筒内側面形状をしている。さらに、本例の後付ディスプレイ装置本体は、二つ折りとなるように構成され、折り目側（折りたたんだ場合の内側）の一面に映像を出力するための画面を備えている。一方、他面は平坦となっており、広告やメーカーロゴなどが記されたシールを貼ったり、他面に対して刻印や印刷を行うことが可能となっている。このような構成を採ることによって、ディスプレイ装置本体を持運ぶ場合などの時に誤って障害物に衝突するなどをして画面に衝撃を与えたり、直接画面に物が当たることによって傷がつくことを防ぐ役割を果たしている。さらには、ゲームプレイ時には、画面の角度を調節することを可能とする役割も果たしている。
【００２５】
≪フック部≫
【００２６】
「フック部」（０１０２ａ，ｂ）は、天面側から観察してゲーム機本体の天面の頂部をまたぐように複数配置されゲーム機本体の一部にひっかけることで自身をゲーム機本体に対して固定するためのフックである。具体的に本実施形態では、図１に示すように天面頂部より前面側には、ゲーム機本体にひっかけることによって固定するためのフック（０１０２ａ）と、天面頂部より背面側にはゲーム機本体の背面に設けられた凹凸部にひっかけて係止するためのフック（０１０２ｂ）で構成されている。
【００２７】
このように本実施形態の天面頂部より前面側に備えられる「フック部」（０１０２ａ）は、図３Ａに示すようにヒンジの形態を採っており、図３Ｂ（ａ）に示すようにヒンジが解放された状態から、図３Ｂ（ｂ）に示すようにゲーム機本体側面にひっかけることで後付ディスプレイ装置をゲーム機本体に対して固定する。
【００２８】
ここで、本実施形態のフック部の形態は、図３に示すようにヒンジの形態を採ったが実際にはそれだけに限定されない。例えば、図４に示すように本実施形態における後付ディスプレイ装置の左右側面にフック部を備え、各フック部との間をつなぐベルト（０４０３）を備える構成が考えられる。これによりベルトを利用して本実施形態の後付ディスプレイ装置とゲーム機本体とを固定することが可能となる。
【００２９】
なお、本実施形態における「ゲーム機本体の天面の頂部」とは、図５に示すように略円筒側面状の天面を有するゲーム機本体（０５０４）の天面におけるもっとも高い部分である。本実施形態では、ゲーム機本体の天面の頂部をまたぐように複数の「フック部」が備えられる（本図では天面の頂部をまたぐように片側側面に２つ（両側面に４つ）配置された場合の一例を示している）。
【００３０】
ここで、本実施形態のフック部は、ゲーム機本体の天面頂部をまたぐように配置されていればその配置個所は限定されない。例えば図６に示すように、天頂部をまたぐようにその一方に１つのフック部を備え、他方に２つのフック部を備える形態（図６（ａ）、（ｂ））や、点頂部をまたぐようにその片側に１つずつ備える（図６（ｃ））など、様々な形態が考えられる。なお、本図ではフック部が備えられる個所を黒丸で表示したが、実際には本実施形態の後付ディスプレイ装置の機能が損なわれないように配置される。
【００３１】
<実施形態１：効果>
【００３２】
本実施形態の後付ディスプレイ装置によって、ゲーム機本体とディスプレイ装置を安定して固定することが可能となり、不用意に後付ディスプレイがゲーム機本体から外れることなどを防ぐことが可能となる。
【００３３】
<実施形態２：概要>
【００３４】
本実施形態の後付ディスプレイ装置は、図７に示すようにゲーム機本体と固定するためにゲーム機本体の背面側の左右それぞれ（０７０２ｂ）と、ゲーム機の側面側で天面の頂部を超えた前全面側の左右それぞれにフック部（０７０２ａ）を備えた後付ディスプレイ装置である。
【００３５】
≪背面左フック部、背面右フック部≫
【００３６】
「背面左フック部」「背面右フック部」（０７０２ｂ）は、ゲーム機本体の背面側の左右各々に配置されるフック部である。具体的には、ゲーム機本体の背面に設けられた凹凸部にひっかけて係止するためのフック部である。
【００３７】
図８は、実際にゲーム機に本実施形態の後付ディスプレイが装着された場合における、背面フック部の状態の一例と、装着前の背面フック部の状態を示した図である。このように、本実施形態の背面フック部は、図８（ａ）に示すように三叉面を備える構成を採っている。そして、図８（ｂ）に示すようにゲーム機本体背面左右角に生じる三面に背面フック部が接触させることで、本実施形態の後付ディスプレイ装置をゲーム機本体に固定する。これにより、本実施形態の後付ディスプレイ装置が側面に沿って手前側にかかる力及び背面に沿って両側にかかる力によって本実施形態の後付ディスプレイ装置が、ゲーム機本体から外れることを防ぐことが可能となる。
【００３８】
なお、本実施形態では図８に示すような三叉面を備え、ゲーム機本体背面左右角に生じる三面に接触させる形態について説明したが、実際にはそれだけに限定されない。例えば、図９に示すようにゲーム機本体背面左右角を覆うような形態の背面フック部であってもよい。
【００３９】
≪側面左フック部、側面右フック部≫
【００４０】
「側面左フック部」「側面右フック部」（０７０２ａ）は、ゲーム機本体の側面側で天面の頂部を超えた前方左右それぞれに配置されるフック部である。具体的には、図７に示すように、ゲーム機本体の側面側で頂部を超えた前方左右それぞれに配置されるフック部である。
【００４１】
ここで、本実施形態の側面左フック部と側面右フック部は、後付ディスプレイ装置から着脱自在で、一面は後付ディスプレイ装置の上面側に係止され、他の一面はゲーム機本体の底面側に係止され、残りの一面が前記二面を連結するように構成されたコの字状フックであってもよい。具体的には、図１０に示すように本実施形態の左右各側面に、コの字状フック（図１０（ｂ））を用いて本実施形態の後付ディスプレイ装置と「ゲーム機本体」とを挟み込むように固定する（図１０（ａ）（ｃ）（ｄ））という具合である。
【００４２】
<実施形態２：効果>
【００４３】
本実施形態の後付ディスプレイ装置によって、ゲーム機本体背面左右に備えられた背面左右フック部と、ゲーム機側面側で頂部を超えた前方左右それぞれに配置される側面左右フック部によって、ゲーム機の点頂部を挟むように固定することが可能となる。これにより、本実施形態の後付ディスプレイ装置がゲーム機本体から天面を滑ることを防ぐことが可能となる。
【００４４】
<本考案の実形態>
【００４５】
本考案を利用した実形態を図１１、図１２に示す。図１１は、ゲーム機本体に装着されていない状態における後付ディスプレイ装置の６面図を示しており、図１２は、ゲーム機本体に装着された場合における後付ディスプレイ装置の６面図を示している。
【符号の説明】
【００４６】
０１０１    後付ディスプレイ装置
０１０２ａ  フック部（側面右フック部、側面左フック部）
０１０２ｂ  フック部（背面右フック部、背面左フック部）
０４０３    ベルト
０５０４    ゲーム機本体
【図１】
0003160082.tif 000003
【図２】
0003160082.tif 000004
【図３Ａ】
0003160082.tif 000005
【図３Ｂ】
0003160082.tif 000006
【図４】
0003160082.tif 000007
【図５】
0003160082.tif 000008
【図６】
0003160082.tif 000009
【図７】
0003160082.tif 000010
【図８】
0003160082.tif 000011
【図９】
0003160082.tif 000012
【図１０】
0003160082.tif 000013
【図１１】
0003160082.tif 000014
【図１２】
0003160082.tif 000015